(57)【要約】【課題】パーティ会場などの祝いの席上で充分に華やかさを演出することができるとともに、意外性にも富んだクラッカーを提供する。【解決手段】円錐状を呈した筒体２０内に複数の軽量飛散物４０と爆発部材３０とが装填され、爆発部材３０に装填された火薬体３４を爆発させることにより前記軽量飛散物４０を筒体２０内から噴出させるように構成されてなるクラッカー１０であり、前記筒体２０の上面開口２３の周縁には、側方からの前記上面開口２３の視認を阻むように立設された囲繞装飾体５０が設けられている。【選択図】  図１
2004218975.tif 000002
【特許請求の範囲】
【請求項１】
筒体内に複数の軽量飛散物と火薬体とが装填され、火薬体を爆発させることにより前記軽量飛散物を筒体内から噴出させるように構成されてなるクラッカーにおいて、前記筒体の開口部の周縁には、側方からの前記開口部の視認を阻むように立設された囲繞装飾体が設けられていることを特徴とするクラッカー。
【請求項２】
前記囲繞装飾体は羽毛または羽毛様のものである請求項１記載のクラッカー。
【請求項３】
前記筒体は、開口部の周縁から軸心方向に向けて折り返されることにより開口を閉止する周方向に所定ピッチで突設された複数のフラップを有し、前記開口部がフラップによって閉止された状態でフラップの外面側または内面側に被噴出装飾体が装着されてなる請求項１または２記載のクラッカー。
【請求項４】
前記各フラップは、それぞれ折り返されることにより前記開口を閉止した状態で各前端縁部の位置に装着孔が形成されるように形状設定され、前記被噴出装飾体は、前記装着孔に嵌入される装着軸を有してなる請求項３記載のクラッカー。
【発明の詳細な説明】
【０００１】
【発明の属する技術分野】
本発明は、爆音とともに紙テープや紙吹雪などの軽量飛散物を噴出させるように構成された、パーティ会場などで祝意を表すために使用されるクラッカーに関するものである。
【０００２】
【従来の技術】
従来、火薬の爆発による爆圧を用いて紙テープや紙吹雪、コットンボール等の軽量飛散物を噴出させるようにしたクラッカーが知られている。かかるクラッカーは、筒体と、この筒体内に装填される火薬体と、この火薬体を受ける間座体と、前記火薬体の上方位置で筒体に内装される受圧板と、この受圧板に支持される紙テープや紙片等からなる軽量飛散物とを備えて構成されている。
【０００３】
前記筒体の上縁部には、全周に亘って複数のフラップが設けられているとともに、各フラップの先端部には、係止用の切込みが設けられ、各フラップを内側に折り込んだ状態でそれぞれの切込みを互いに嵌め合わせることによって筒体の上面開口が閉止されるようになっている。
【０００４】
また、前記火薬体には引き紐が装着されている。この引き紐は、間座体を貫通して筒体の下端部の小孔から外部に引き出されている。したがって、筒体から引き出された引き紐を引くことにより、火薬体に内装された火薬が発火・爆発してその爆圧で受圧板がフラップの開放方向に向けて急速に上昇させられ、受圧板に支持されていた軽量飛散物が、各フラップを押し広げながら外部に飛び出すことになる。
【０００５】
【特許文献１】
特開平７−２１８１９４号公報
【０００６】
【発明が解決しようとする課題】
ところで、前記のような従来のクラッカーは、一般的に外観形状が極めて簡素な筒状を呈しているだけであるため華やかさに乏しく、見栄えをよくするために大型化するなどの方策が採られることもあるが、それだけでは慶びの表現として満足のいくものではないという不都合が存在した。
【０００７】
また、火薬の爆発で筒体から噴出される軽量飛散物が紙テープや紙吹雪のみでは興趣に欠けることから、筒体の開口を閉止したフラップの外面側に、例えば薔薇の花を模した優美な被噴出装飾体を装着し、この被噴出装飾体を飛翔させるようにしたものも提案されているが、かかる被噴出装飾体が外部に露出しているようでは意外性に乏しく、面白味に欠けるという問題点も存在した。
【０００８】
本発明は、前記のような問題点を解消するためになされたものであり、パーティ会場などの祝いの席上で充分に華やかさを演出することができるとともに、意外性にも富んだクラッカーを提供することを目的としている。
【０００９】
【課題を解決するための手段】
請求項１記載の発明は、筒体内に複数の軽量飛散物と火薬体とが装填され、火薬体を爆発させることにより前記軽量飛散物を筒体内から噴出させるように構成されてなるクラッカーにおいて、前記筒体の開口部の周縁には、側方からの前記開口部の視認を阻むように立設された囲繞装飾体が設けられていることを特徴とするものである。
【００１０】
この発明によれば、クラッカーは、筒体の開口部の周縁から当該開口部の視認を阻むように立設された複数の囲繞装飾体の存在により全体的に華やいだ状態になるため、外観形状が単に筒体のみの従来のクラッカーに比べてパーティ会場などでの祝いの表現に適したものになる。
【００１１】
請求項２記載の発明は、請求項１記載の発明において、前記囲繞装飾体は羽毛または羽毛様のものであることを特徴とするものである。
【００１２】
この発明において、羽毛用のものとは、各種の天然素材や人工素材を用いて擬似的に羽毛のように形成したもののことである。そして、この発明によれば、囲繞装飾体として羽毛または羽毛様のもの（羽毛等）を用いることにより、クラッカーは、当該羽毛等のふわふわ感で非常に華やいだものになる。羽毛に一色または複数色の着色を施すことにより、華やぎ感はさらに顕著になる。
【００１３】
請求項３記載の発明は、請求項１または２記載の発明において、前記筒体は、開口部の周縁から軸心方向に向けて折り返されることにより開口を閉止する周方向に所定ピッチで突設された複数のフラップを有し、前記開口がフラップによって閉止された状態でフラップの外面側または内面側に被噴出装飾体が装着されてなることを特徴とするものである。
【００１４】
この発明によれば、筒体内の火薬体を爆発させることにより、その爆風で複数のフラップが開放され、これによって筒体内の軽量飛散物が外部へ噴出されるとともに、閉止された状態のフラップの外面側または内面側に装着されていた被噴出装飾体も同時に噴出されるため、この被噴出装飾体によって紙テープや紙吹雪等の軽量飛散物だけでは得ることのできない演出効果を達成することが可能になり、祝福の意をより的確に表現することができる。
【００１５】
筒体の開口部周縁に立設されている囲繞装飾体は、爆風によって開いたフラップにより保護された状態になる。
【００１６】
そして、被噴出装飾体が閉じたフラップの外面側に装着されている場合には、当該被噴出装飾体は、筒体の開口部の周縁に立設された囲繞装飾体によって見え隠れした状態で覆われているため、火薬体が爆発するまでは外部からはっきりと視認されることはなく、火薬体の爆発による爆風で被噴出装飾体が噴射されたときに始めてその全貌が明かされることになり、これによって興趣に富んだ意外性が得られる。
【００１７】
また、被噴出装飾体がフラップの内面側に装着されている場合には、前記の意外性の点で外面側に装着されている場合と同様の作用が得られる。
【００１８】
請求項４記載の発明は、請求項３記載の発明において、前記各フラップは、それぞれ折り返されることにより前記開口を閉止した状態で各前端縁部の位置に装着孔が形成されるように形状設定され、前記被噴出装飾体は、前記装着孔に嵌入される装着軸を有してなることを特徴とするものである。
【００１９】
この発明によれば、被噴出装飾体は、その装着軸を複数のフラップにより形成された装着孔に嵌入するという簡単な操作で筒体に装着されるため、装着操作が容易になる。そして、装着軸が装着孔に装着された状態で各フラップの前端縁部が先下がりに傾斜するように当該各フラップを寸法設定しておけば、一旦装着孔に差し込まれた装着軸に抜け出し方向へ向けて力が作用した場合に、フラップが装着軸に誘導されて先上がりしようとし、これによる装着孔の縮径で装着軸は締め付けられ、装着孔から外れ難くなる。したがって、運搬途中の振動等で装着軸が外れるような不都合が防止される。
【００２０】
一方、火薬体が爆発したときには、爆風によってフラップが強制的に開放され、これによって被噴出装飾体は適正に飛翔することができる。
【００２１】
【発明の実施の形態】
図１は、本発明に係るクラッカーの一実施形態を示す分解斜視図であり、図２はその一部切欠き組立て斜視図である。また、図３は、図２のクラッカーのＡ−Ａ線断面図である。これらの図に示すように、クラッカー１０は、筒体２０と、この筒体２０に内装される爆発部材３０と、前記筒体２０に内装される軽量飛散物４０と、筒体２０の周縁部に付設される囲繞装飾体５０と、筒体２０の上面に装着される被噴出装飾体６０とを備えた基本構成を有している。
【００２２】
前記筒体２０は、本実施形態においてはボール紙製で、円錐状のものが採用されているが、ボール紙製で円錐状であることに限定されるものではなくプラスチック等各種の素材が適用可能であるし、形状も円錐形以外（例えば円筒状等）であってもよい。かかる筒体２０は、逆円錐状の筒体本体２１と、この筒体本体２１の上縁部から外方に向かって略直角に折り返されることによって形成した複数枚のフラップ２２とからなっている。かかる筒体２０には、下部の先端部分に後述の引き紐３３を導出するための小孔２４が設けられている。
【００２３】
前記各フラップ２２は、その先端部と筒体本体２１の上縁部との間の距離が筒体本体２１の上面開口２３の半径よりも若干長めになるように長さ設定されているとともに、各フラップ２２の先端部には、切込み溝２２ａが設けられている。そして、各フラップ２２を折り曲げることにより筒体本体２１の上面開口２３を閉止しながら隣接するフラップ２２の切込み溝２２ａを互いに嵌め込んでいくことにより、図２に示すように、フラップ２２による上面開口２３の閉止状態が維持されるとともに、各切込み溝２２ａの縁部によって囲まれた部分に被噴出装飾体６０の後述する装着軸６２を差し込むための差込み孔（装着孔）２２ｂ（図３）が形成されるようになっている。
【００２４】
前記爆発部材３０は、本実施形態においては、合成樹脂製の小形漏斗３１と、この小形漏斗３１の漏斗孔３２に挿通される引き紐３３と、この引き紐３３の小形漏斗３１内に位置した部分に同心で外嵌された小さな棒状を呈する火薬体３４とを備えて構成されている。
【００２５】
火薬体３４は、少量の火薬を引き紐３３とこすれるように紙巻きした公知のものであり、引き紐３３を引張り操作することにより爆発するようになっている。なお、爆発部材３０は、小形漏斗３１を備えて構成されることに限定されるものではなく、引き紐３３を通す孔が穿設された単なる厚紙のみで構成してもよい。
【００２６】
前記軽量飛散物４０は、複数個の紙テープ４１や色紙を小片に裁断することによって形成された多数の紙吹雪４２、さらには連鎖旗やコットンボール、垂れ幕等によって形成されている。かかる軽量飛散物４０は、筒体本体２１内における爆発部材３０より上方位置に装着される受圧板２５に支持されるものであり、火薬体３４の爆発による爆風で受圧板２５により押し上げられ、上面開口２３を介して外部に放出されるため、例えばパーティ会場等が華やいだ雰囲気に包まれることになる。
【００２７】
上記囲繞装飾体５０は、筒体本体２１の上部に巻き付けてクラッカー１０が華やぐように演出するためのものであり、本実施形態においては、複数本（例えば４本）の鳥の羽根５１と、該羽根５１の羽軸５１ａの根本部分が粘着される粘着テープ５２とを備えて構成されている。かかる羽根５１を備えた囲繞装飾体５０により（図２）、それぞれの羽毛５１ｂが互いに絡み合ってふわふわと柔らかい感触が現出され、これによってクラッカー１０は、見る者に華やかな印象を与え得るものになる。
【００２８】
なお、羽根５１は、粘着テープ５２を介して筒体本体２１へ貼着されることに限定されるものではなく、所定の接着剤を介して筒体本体２１へ直接貼着したり、筒体本体２１の適所に羽軸５１ａを嵌入する嵌入孔を穿設し、この嵌入孔に羽根５１を差し込むことで筒体本体２１に装着するようにしてもよい。
【００２９】
そして、囲繞装飾体５０が筒体本体２１に装着された状態では、筒体本体２１の上面部、すなわち折り重なった複数枚のフラップ２２に装着された被噴出装飾体６０が羽根５１の羽毛５１ｂに見え隠れするように隠されてはっきりと視認し得なくなるようにしている。
【００３０】
前記被噴出装飾体６０は、本実施形態においては、複数枚の花弁を備えた造花６１と、該造花６１の底面から下方に向けて突設された花柄に相当する該当する装着軸６２とからなっている。図１では造花６１の一例として薔薇の造花を採用している。装着軸６２は、各フラップ２２を折り返すことによって形成した前記差込み孔２２ｂ（図３）の孔径寸法より若干大径に設定されている。そして、かかる装着軸６２を差込み孔２２ｂに差し込むことによって各フラップ２２の先端が先下がりに傾斜し、全体的にすり鉢状になった状態で被噴出装飾体６０が筒体２０に装着されるようにしている。
【００３１】
なお、被噴出装飾体６０そのものは公知のものではあるが、当該被噴出装飾体６０と前記囲繞装飾体５０との組み合わせに意味があるのであり、当初被噴出装飾体６０は、囲繞装飾体５０によってほのかに隠された状態になっているが、火薬体３４の爆発よる被噴出装飾体６０の飛翔で見る者に意外感を与えることができ、優れた演出効果を発揮することができるのである。
【００３２】
本発明のクラッカー１０は、以上詳述したように、円錐状を呈した筒体２０内に複数の軽量飛散物４０と爆発部材３０とが装填され、爆発部材３０に装填された火薬体３４を爆発させることにより前記軽量飛散物を筒体２０内から噴出させるように構成されてなるものであり、前記筒体２０の上面開口２３の周縁には、側方からの前記上面開口２３の視認を阻むように立設された囲繞装飾体５０が設けられているため、クラッカー１０は、この囲繞装飾体５０の存在により全体的に華やいだ状態になり、当該クラッカー１０の外観形状を、単に筒体２０のみの従来のクラッカー１０に比べてパーティ会場などでの祝いの表現に適した華やいだものにすることができる。
【００３３】
そして、前記囲繞装飾体５０として羽根５１を採用したものとすれば、クラッカー１０を、当該羽根５１の羽毛のふわふわ感で非常に温かみがあり、且つ非常に華やいだものにすることができる。羽毛に一色または複数色の着色を施せば、クラッカー１０をさらに華やぎ感の増大したものにすることができる。
【００３４】
また、筒体２０内の爆発部材３０の火薬体３４を爆発させることにより、その爆風で複数のフラップ２２が開放され、これによって筒体２０内の軽量飛散物４０が外部へ噴出されるとともに、閉止された状態のフラップ２２の外面側に装着されていた被噴出装飾体６０も同時に噴出され、この被噴出装飾体６０によって紙テープ４１や紙吹雪４２等の軽量飛散物４０だけでは得ることのできない演出効果を達成することができる。
【００３５】
そして、筒体２０の上面開口２３の周縁に立設されている囲繞装飾体５０の羽根５１は、爆風によって開いたフラップ２２により保護される。また、囲繞装飾体５０は、開いたフラップ２２に押されて筒体本体２１の径方向の外方に向けて撓むため、各羽根５１は、花弁が突然開いたような状態になり、これによって極めて興趣に富んだ状況を演出することができる。
【００３６】
また、当該被噴出装飾体６０は、筒体２０の上面開口２３の周縁に立設された羽根５１によって覆われた状態になっているため、爆発部材３０の火薬体３４が爆発するまで外部から視認され難く、火薬体３４の爆発による爆風で被噴出装飾体６０が噴射されたときに始めて視認され、これによって興趣に富んだ意外性を演出することができる。
【００３７】
また、被噴出装飾体６０は、径寸法が筒体本体２１の上面開口２３の径寸法と略等しくなるように形状設定されているため、被噴出装飾体６０は、紙テープ４１や紙吹雪４２に比べて非常に大きなものであり、かかる大きなものの噴出でさらなる意外感を与えることができる。
【００３８】
本発明は、上記の実施形態に限定されるものではなく、以下の内容をも包含するものである。
【００３９】
（１）上記の実施形態においては、囲繞装飾体５０の構成要素として羽根５１を採用しているが、本発明は、囲繞装飾体５０の構成要素が羽根５１であることに限定されるものではなく、各種の材料によって羽根状に形成した羽根様のもの（模擬羽根）であってもよいし、さらに表面側に各種の模様や図柄を等が描かれた合成樹脂製のフィルムであってもよく、要は筒体２０のフラップ２２に装着された被噴出装飾体６０を覆い隠せるものであればどのようなものであってもよい。
【００４０】
（２）上記の実施形態においては、被噴出装飾体６０は、筒体２０のフラップ２２の上面側に装着されているが、本発明は、被噴出装飾体６０が筒体２０の外側に装着されることに限定されるものではなく、被噴出装飾体６０を筒体本体２１内に装着してもよい。この場合、前記受圧板２５に装着軸６２が嵌入される嵌入孔を穿設し、この嵌入孔に装着軸６２を差し込むようにすれば、被噴出装飾体６０が筒体本体２１内で動き回ることが防止され、被噴出装飾体６０の筒体本体２１への装着状態を安定させることができる。
【００４１】
（３）上記の実施形態においては、被噴出装飾体６０の構成要素として造花６１が採用されているが、本発明は、被噴出装飾体６０の構成要素が造花６１であることに限定されるものではなく、綿花を丸めたいわゆるコットンボール、紙吹雪、テープ、各種の生花、風船あるいは落下傘など各種の物品を採用することができる。
【００４２】
（４）上記の実施形態においては、本発明に係る筒体として円錐状を呈したもの（円錐状の筒体２０）が採用されているが、本発明は筒体が円錐状であることに限定されるものではなく、多角錐状であってもよいし、円筒状であってもよく、さらに例えばピストル形状等の各種の形状のものを採用することができる。
【００４３】
（５）囲繞装飾体５０の筒体本体２１への装着については、上記の実施形態のような粘着テープ５２による貼着に代えて、図４の（イ）に示すような第２筒体７０を採用してもよい。この第２筒体７０は、筒体本体２１に抜け止め状態で外嵌されるように寸法設定された截頭円錐形状を呈し、周囲に予め複数本の羽根５１が立設状態で装着されている。
【００４４】
かかる第２筒体７０を採用すれば、筒体本体２１とは別に予め第２筒体７０を用意しておくことにより、筒体本体２１を第２筒体７０に嵌め込むだけで、図４の（ロ）に示すように、羽根５１を備えたクラッカー１０を得ることができ、囲繞装飾体５０を備えたクラッカー１０の製造における作業効率の向上に貢献することができる。
【００４５】
（６）図５は、他の実施形態のクラッカー１０ａを示す斜視図である。この実施形態のクラッカー１０ａは、囲繞装飾体５０ａとして羽毛５１ｂが豊富な羽根５１が採用され、これによって囲繞装飾体５０ａは、いわゆる「ポンポン（飾り玉）」のようになっている。したがって、筒体本体２１の上面部分は、羽毛５１ｂに埋もれることで側方からはもちろん、上方からも視認されず、際立って華やいだ状態になっている。
【００４６】
かかる囲繞装飾体５０ａは、ポンポン状に形成された羽毛５１ｂのみでも充分に華やかさが演出されるため、特に軽量飛散物４０や被噴出装飾体６０の飛翔が行われずに爆音だけを楽しむ、いわゆる「音だけクラッカー」への適用が好適である。但し、この実施形態の囲繞装飾体５０ａは、「音だけクラッカー」への適用のみに限定されるものではなく、軽量飛散物４０や被噴出装飾体６０を飛翔させるクラッカーへ適用してもよい。
【００４７】
【発明の効果】
本発明のクラッカーは、以上詳述したように、円錐状を呈した筒体内に複数の軽量飛散物と火薬体とが装填され、火薬体を爆発させることにより前記軽量飛散物を筒体内から噴出させるように構成されてなるものであり、筒体の開口部の周縁に側方からの開口部の視認を阻むように立設された囲繞装飾体が設けられているため、クラッカーは、筒体の開口部の周縁から当該開口部の視認を阻むように立設された複数の囲繞装飾体の存在により全体的に華やいだ状態になるため、当該クラッカーを、外観形状が単に筒体のみの従来のクラッカーに比べてパーティ会場などでの祝いの表現に適したものにすることができる。
【００４８】
そして、囲繞装飾体として羽毛または羽毛様のものを採用すれば、クラッカーを当該羽毛等のふわふわ感でより華やいだものにすることができる。
【００４９】
また、前記筒体に開口部の周縁から軸心方向に向けて折り返されることにより開口を閉止する周方向に所定ピッチで突設された複数のフラップを設け、前記開口部がフラップによって閉止された状態でフラップの外面側または内面側に被噴出装飾体を装着するようにしているため、筒体内の火薬体の爆発による爆風で複数のフラップが開放され、これによって筒体内の軽量飛散物が外部へ噴出されるとともに、閉止された状態のフラップの外面側または内面側に装着されていた被噴出装飾体も同時に噴出され、この被噴出装飾体によって紙テープや紙吹雪等の軽量飛散物だけでは得ることのできない演出効果を達成することができ、祝福の意をより的確に表現することができる。
【００５０】
そして、筒体の開口部周縁に立設されている囲繞装飾体は、爆風によって開いたフラップにより保護された状態になる。
【００５１】
また、たとえ被噴出装飾体がフラップの外面側に装着されていても、当該被噴出装飾体は、筒体の開口部の周縁に立設された囲繞装飾体によって隠された状態になっているため、火薬体が爆発するまでは外部からほのかに見える程度で視認され難く、火薬体の爆発による爆風で被噴出装飾体が噴射されたときに始めてその全貌が明かされ、これによって興趣に富んだ意外性を得ることができる。
【図面の簡単な説明】
【図１】本発明に係るクラッカーの一実施形態を示す分解斜視図である。
【図２】図に示すクラッカーの一部切欠き組立て斜視図である。
【図３】図２に示すクラッカーのＡ−Ａ線断面図である。
【図４】（イ）および（ロ）は、第２筒体を示す斜視図である。
【図５】クラッカーの他の実施形態を示す斜視図である。
【符号の説明】
１０，１０ａ  クラッカー    ２０  筒体
２１  筒体本体              ２２  フラップ
２２ａ  切込み溝            ２２ｂ  差込み孔
２３  上部開口              ２３  上面開口
２４  小孔                  ２５  受圧板
３０  爆発部材              ３１  小形漏斗
３２  漏斗孔                ３３  引き紐
３４  火薬体                ４０  軽量飛散物
４１  紙テープ              ４２  紙吹雪
５０，５０ａ  囲繞装飾体    ５１  羽根
５１ａ  羽軸                ５１ｂ  羽毛
５２  粘着テープ            ６０  被噴出装飾体
６１  造花                  ６２  装着軸
７０  第２筒体
【図１】
2004218975.tif 000003
【図２】
2004218975.tif 000004
【図３】
2004218975.tif 000005
【図４】
2004218975.tif 000006
【図５】
2004218975.tif 000007